(57)【要約】      （修正有）【課題】立体形状のエンブレムを使用対象として、そのエンブレム自体が発光機能を備えているか否かに関係なく、エンブレムに視覚的装飾機能を付与することのできるエンブレム装飾具を提供する。【解決手段】エンブレム１００の凹所１０１〜１０６に嵌め込まれて視覚的装飾機能を発揮するシート片でなる。シート片が、１つのエンブレム１００の複数箇所に備わっている凹所１０１〜１０６のそれぞれと同一の形状を有する小片に分割されていてもよい。小片の裏面に粘着剤を保持させておく。複数の小片を、エンブレム１００の複数箇所の凹所１０１〜１０６の配列と同一の配列パターンを形成して透明の剥離シートに仮貼着しておいてもよい。【選択図】図３
0003138023.tif 000002
【実用新案登録請求の範囲】
【請求項１】
立体形状のエンブレムに備わっている凹所に嵌め込まれて視覚的装飾機能を発揮するシート片でなることを特徴とするエンブレム装飾具。
【請求項２】
上記シート片が、１つのエンブレムの複数箇所に備わっている凹所のそれぞれと同一の形状を有する小片に分割されていて、それらの小片の裏面に、上記エンブレムが装着されている下地面又は上記凹所の底面に貼着可能な粘着剤が保持されている請求項１に記載したエンブレム装飾具。
【請求項３】
複数の上記小片が、上記エンブレムの複数箇所の凹所の配列と同一の配列パターンを形成して透明の剥離シートに仮貼着されている請求項２に記載したエンブレム装飾具。
【考案の詳細な説明】
【技術分野】
【０００１】
本考案は、自動車のハンドルやボンネットなどに装着されてその自動車の車種やメーカ、グレードなどを表示する機能を発揮するエンブレムに組み合わされて、そのエンブレムを装飾するエンブレム装飾具に関する。
【背景技術】
【０００２】
エンブレムに凹所を具備させて立体形状に形成することや、そのようなエンブレム自体に発光機能を持たせて光学的に装飾することなどが従来より公知である（たとえば、特許文献１参照）。
【特許文献１】特開２００５−４７１３５号公報
【考案の開示】
【考案が解決しようとする課題】
【０００３】
しかしながら、上掲の特許文献１に見られるように凹所を具備する立体形状のエンブレムを、それ自体に備わっている発光機能によって装飾するようにすると、発光機能を付与するための発光プレートなどが余分に必要になって、エンブレム自体が高価になる。また、自動車のユーザが自分自身の好みにあわせて様々な視覚的装飾機能をエンブレムに持たせることができない。
【０００４】
本考案は以上の状況を改善するためになされたものであり、立体形状のエンブレムを使用対象として、そのエンブレム自体が発光機能を備えているか否かに関係なく、エンブレムに視覚的装飾機能を付与することのできるエンブレム装飾具を提供することを目的とする。
【課題を解決するための手段】
【０００５】
本考案に係るエンブレム装飾具は、立体形状のエンブレムに備わっている凹所に嵌め込まれて視覚的装飾機能を発揮するシート片でなる。この考案によると、自動車のハンドルやボンネットなどに予め装備されているエンブレムの凹所にシート片を嵌め込むだけで、そのシート片によって発揮される視覚的装飾機能がエンブレムに付与されることになる。また、シート片がエンブレムの凹所のサイズや形状に一致していないときには、そのシート片をカッターなどで裁断してエンブレムの凹所のサイズや形状に一致する小片を切り出し、その小片をエンブレムの凹所に嵌め込むだけで視覚的装飾機能がエンブレムに付与されることになる。
【０００６】
ところで、自動車に装備されてその車種やメーカ、グレードなどを表示する機能を発揮する一般的な立体形状のエンブレムでは、縁枠部分やその縁枠部分の内側に凸条が存在していて、その凸状によってエンブレムの複数箇所に凹所が区画形成されていることが多い。
【０００７】
そこで、そのようなエンブレムを装飾したい場合には、上記シート片が、１つのエンブレムの複数箇所に備わっている凹所のそれぞれと同一の形状を有する小片に分割されていて、それらの小片の裏面に、上記エンブレムが装着されている下地面又は上記凹所の底面に貼着可能な粘着剤が保持されている、という構成を備えたエンブレム装飾具を用いるのが便利である。すなわち、この構成のエンブレム装飾具によると、同一の形状の凹所と小片とを組み合わせ、それぞれの凹所にそれに合う形状の小片を嵌め込んで下地面又は凹所の底面に貼着することが可能になる。したがって、大きなシート片を複数箇所の凹所の形状に合わせて切断したりする手間が不要になる。
【０００８】
本考案では、複数の上記小片が、上記エンブレムの複数箇所の凹所の配列と同一の配列パターンを形成して透明の剥離シートに仮貼着されていることが望ましい。
【０００９】
この構成を採用すると、剥離シートに複数の上記小片が仮貼着されている状態のまま、その剥離シートを装飾したいエンブレムの上に重ね合わせるという作業を行うだけで、剥離シートから小片を剥がし取る前に、剥離シートに仮貼着されている複数の小片がそのエンブレムの複数箇所の凹所に適正に嵌まり込むか否かを容易に判別することが可能になる。そのため、デザインが同じでサイズが異なるようなエンブレムに対しても、誤って違うサイズの小片を用いてしまうおそれがなくなる。
【考案の効果】
【００１０】
本考案に係るエンブレム装飾具は、視覚的装飾機能を発揮するシート片又はそのシート片を分割した小片によって、自動車のハンドルやボンネットなどに装備されているエンブレムを装飾することが可能になる。そのため、自動車のユーザが自分自身の好みにあわせて様々な視覚的装飾機能をエンブレムに持たせることができるようになるという効果が奏される。
【考案を実施するための最良の形態】
【００１１】
図１は本考案に係るエンブレム装飾具の斜視図、図２は変形例によるエンブレム装飾具の斜視図である。また、図３は図１又は図２のエンブレム装飾具の使用対象としてのエンブレムの斜視図である。さらに、図４はエンブレム装飾具の使用状態を断面図で表した説明図である。
【００１２】
図３に例示したように、図１又は図２のエンブレム装飾具Ａの使用対象としてのエンブレム１００は、円形の象られた凸条でなる縁枠部分１１０の内側に、２つの楕円形を象った凸条１２０を配して立体形状に形成されている。そのため、このエンブレム１００には、縁枠部分１１０の内側の複数箇所（図例では６箇所）に凸条１２０によって区画形成された凹所１０１，１０２，１０３，１０４，１０５，１０６が備わっている。それらの凹所１０１〜１０６は、エンブレム１００の表面から裏面に貫通している開口であっても、凹所１０１〜１０６が底面を有しているものであってもよい。
【００１３】
図１に示したように、この実施形態のエンブレム装飾具Ａでは、１枚のシート片を６分割することによって形成された６枚の小片１１，１２，１３，１４，１５，１６の集合体でなり、それぞれの小片１１〜１６には、それらの表面で視覚的な立体感や質感、高級感、装飾模様などを表現することができるような装飾加工が施されている。また、これらの各小片１１〜１６のそれぞれは、図３に示したエンブレム１００の凹所１０１〜１０６のそれぞれの形状に合う形状を備えている。具体的には、凹所１０１と小片１１、凹所１０２と小片１２、凹所１０３と小片１３、凹所１０４と小片１４、凹所１０５と小片１５、凹所１０６と小片１６が、それぞれ同一の形状になっている。また、各小片１１〜１６のそれぞれは裏面に粘着剤（不図示）を保持している。
【００１４】
図１のエンブレム装飾具Ａを用いて図３のエンブレム１００を装飾するには、凹所１０１に小片１１、凹所１０２に小片１２、凹所１０３に小片１３、凹所１０４に小片１４、凹所１０５に小片１５、凹所１０６に小片１６をそれぞれ位置合わせして嵌め込むことと、それらをエンブレム１００が装備されている下地面又は各凹所１０１〜１０６の底面に貼着することとを行うだけで済む。
【００１５】
図４には、上記のようにして装飾したエンブレム１００の所定箇所を切断してその切断面を見た状態を示してある。図４によって類推することができるように、上記の貼着作業を行うと、エンブレム１００の各凹所１０１〜１０６に各別に嵌め込まれた小片１１〜１６によってエンブレム１００自体に視覚的装飾機能が付与されることになる。
【００１６】
図１に示したエンブレム装飾具Ａは、個々の小片１１〜１６が分割されて個別に離れているので、そのままでは店頭で販売することに不便があり、また、ユーザにとっても、どの小片をエンブレム１００のどの凹所に嵌め込めばよいかを判断しにくい。
【００１７】
そこで、図２のように、複数の上記小片１１〜１６をその裏面側の粘着剤を利用して剥離シート２０に仮貼着しておくことが有益であり、そのようにしておくと、店頭販売に際してユーザが小片１１〜１６の形状を認識しやすくなる。特に、図例のように、剥離シート２０に透明シートを用いた上で、その剥離シート２０に仮貼着しておく小片１１〜１６の配列パターンを、その使用対象となるエンブレム１００の複数箇所の凹所１０１〜１０６の配列と同一に形成しておくことが望まれる。このようにしておくと、剥離シート２０に複数の小片１１〜１６が仮貼着されている状態のまま、その剥離シート２０を装飾したいエンブレム１００の上に重ね合わせることによって、それぞれの小片１１〜１６のサイズや形状が、エンブレム１００のそれぞれの凹所１０１〜１０６のサイズや形状に一致するか否かを容易に見極めるという作業を行うだけで、剥離シート２０から小片１１〜１６を剥がし取る前に、剥離シート２０に仮貼着されている複数の小片１１〜１６がそのエンブレム１００の複数箇所の凹所１０１〜１０６に適正に嵌まり込むか否かを容易に判別することが可能になる。このことにより、上記のように剥離シート２０に透明シートを用いた上で、その剥離シート２０に仮貼着しておく小片１１〜１６の配列パターンを、その使用対象となるエンブレム１００の複数箇所の凹所１０１〜１０６の配列と同一に形成しておくことは、デザインが同じでサイズが異なるようなエンブレムに対しても、誤って違うサイズの小片を用いてしまうおそれがなくなるという利点が生じる。
【図面の簡単な説明】
【００１８】
【図１】本考案に係るエンブレム装飾具の斜視図である。
【図２】変形例によるエンブレム装飾具の斜視図である。
【図３】図１又は図２のエンブレム装飾具の使用対象としてのエンブレムの斜視図である。
【図４】エンブレム装飾具の使用状態を断面図で表した説明図である。
【符号の説明】
【００１９】
１００  エンブレム
１０１，１０２，１０３，１０４，１０５，１０６  凹所
１１，１２，１３，１４，１５，１６  小片
【図１】
0003138023.tif 000003
【図２】
0003138023.tif 000004
【図３】
0003138023.tif 000005
【図４】
0003138023.tif 000006
【手続補正書】
【提出日】平成19年9月3日(2007.9.3)
【手続補正１】
【補正対象書類名】実用新案登録請求の範囲
【補正対象項目名】全文
【補正方法】変更
【補正の内容】
【実用新案登録請求の範囲】
【請求項１】
視覚的装飾機能を発揮するシート片が、立体形状の１つのエンブレムの複数箇所に備わっている凹所のそれぞれと同一の形状を有してそれらの凹所に個別に嵌込み可能な小片に分割されていることを特徴とするエンブレム装飾具。
【請求項２】
それぞれの上記小片の裏面に、上記エンブレムが装着されている下地面又は上記凹所の底面に貼着可能な粘着剤が保持されている請求項１に記載したエンブレム装飾具。
【請求項３】
複数の上記小片が、上記エンブレムの複数箇所の凹所の配列と同一の配列パターンを形成して透明の剥離シートに仮貼着されている請求項２に記載したエンブレム装飾具。
【手続補正２】
【補正対象書類名】明細書
【補正対象項目名】全文
【補正方法】変更
【補正の内容】
【考案の詳細な説明】
【技術分野】
【０００１】
本考案は、自動車のハンドルやボンネットなどに装着されてその自動車の車種やメーカ、グレードなどを表示する機能を発揮するエンブレムに組み合わされて、そのエンブレムを装飾するエンブレム装飾具に関する。
【背景技術】
【０００２】
エンブレムに凹所を具備させて立体形状に形成することや、そのようなエンブレム自体に発光機能を持たせて光学的に装飾することなどが従来より公知である（たとえば、特許文献１参照）。
【特許文献１】特開２００５−４７１３５号公報
【考案の開示】
【考案が解決しようとする課題】
【０００３】
しかしながら、上掲の特許文献１に見られるように凹所を具備する立体形状のエンブレムを、それ自体に備わっている発光機能によって装飾するようにすると、発光機能を付与するための発光プレートなどが余分に必要になって、エンブレム自体が高価になる。また、自動車のユーザが自分自身の好みにあわせて様々な視覚的装飾機能をエンブレムに持たせることができない。
【０００４】
本考案は以上の状況を改善するためになされたものであり、立体形状のエンブレムを使用対象として、そのエンブレム自体が発光機能を備えているか否かに関係なく、エンブレムに視覚的装飾機能を付与することのできるエンブレム装飾具を提供することを目的とする。
【課題を解決するための手段】
【０００５】
本考案に係るエンブレム装飾具は、視覚的装飾機能を発揮するシート片が、立体形状の１つのエンブレムの複数箇所に備わっている凹所のそれぞれと同一の形状を有してそれらの凹所に個別に嵌込み可能な小片に分割されている。
【０００６】
ところで、自動車に装備されてその車種やメーカ、グレードなどを表示する機能を発揮する一般的な立体形状のエンブレムでは、縁枠部分やその縁枠部分の内側に凸条が存在していて、その凸条によってエンブレムの複数箇所に上記の凹所が区画形成されていることが多い。この考案では、そのようなエンブレムを装飾したい場合に、上記シート片が、１つのエンブレムの複数箇所に備わっている凹所のそれぞれと同一の形状を有する小片に分割されているために、自動車のハンドルやボンネットなどに予め装備されているエンブレムの凹所に小片を嵌め込むだけで、その小片によって発揮される視覚的装飾機能がエンブレムに付与されることになる。
【０００７】
本考案では、それぞれの上記小片の裏面に、上記エンブレムが装着されている下地面又は上記凹所の底面に貼着可能な粘着剤が保持されている、という構成を備えたエンブレム装飾具を用いるのが便利である。  
【０００８】
すなわち、この構成のエンブレム装飾具によると、同一の形状の凹所と小片とを組み合わせ、それぞれの凹所にそれに合う形状の小片を嵌め込んで下地面又は凹所の底面に貼着することが可能になる。
【０００９】
本考案では、複数の上記小片が、上記エンブレムの複数箇所の凹所の配列と同一の配列パターンを形成して透明の剥離シートに仮貼着されていることが望ましい。
【００１０】
この構成を採用すると、剥離シートに複数の上記小片が仮貼着されている状態のまま、その剥離シートを装飾したいエンブレムの上に重ね合わせるという作業を行うだけで、剥離シートから小片を剥がし取る前に、剥離シートに仮貼着されている複数の小片がそのエンブレムの複数箇所の凹所に適正に嵌まり込むか否かを容易に判別することが可能になる。そのため、デザインが同じでサイズが異なるようなエンブレムに対しても、誤って違うサイズの小片を用いてしまうおそれがなくなる。
【考案の効果】
【００１１】
本考案に係るエンブレム装飾具は、視覚的装飾機能を発揮するシート片を分割した小片によって、自動車のハンドルやボンネットなどに装備されているエンブレムを装飾することが可能になる。そのため、自動車のユーザが自分自身の好みにあわせて様々な視覚的装飾機能をエンブレムに持たせることができるようになるという効果が奏される。
【考案を実施するための最良の形態】
【００１２】
図１は本考案に係るエンブレム装飾具の斜視図、図２は変形例によるエンブレム装飾具の正面図である。また、図３は図１又は図２のエンブレム装飾具の使用対象としてのエンブレムの斜視図である。さらに、図４はエンブレム装飾具の使用状態を断面図で表した説明図である。
【００１３】
図３に例示したように、図１又は図２のエンブレム装飾具Ａの使用対象としてのエンブレム１００は、円形に象られた凸条でなる縁枠部分１１０の内側に凸条１２０を配して立体形状に形成されている。そして、このエンブレム１００には、縁枠部分１１０の内側の複数箇所（図例では６箇所）に凸条１２０によって区画形成された凹所１０１，１０２，１０３，１０４，１０５，１０６が備わっている。それらの凹所１０１〜１０６は、エンブレム１００の表面から裏面に貫通している開口であっても、凹所１０１〜１０６が底面を有しているものであってもよい。
【００１４】
図１に示したように、この実施形態のエンブレム装飾具Ａでは、１枚のシート片を６分割することによって形成された６枚の小片１１，１２，１３，１４，１５，１６の集合体でなり、それぞれの小片１１〜１６には、それらの表面で視覚的な立体感や質感、高級感、装飾模様などを表現することができるような装飾加工が施されている。また、これらの各小片１１〜１６のそれぞれは、図３に示したエンブレム１００の凹所１０１〜１０６のそれぞれの形状に合う形状を備えている。具体的には、凹所１０１と小片１１、凹所１０２と小片１２、凹所１０３と小片１３、凹所１０４と小片１４、凹所１０５と小片１５、凹所１０６と小片１６が、それぞれ同一の形状になっている。また、各小片１１〜１６のそれぞれは裏面に粘着剤（不図示）を保持している。
【００１５】
図１のエンブレム装飾具Ａを用いて図３のエンブレム１００を装飾するには、凹所１０１に小片１１、凹所１０２に小片１２、凹所１０３に小片１３、凹所１０４に小片１４、凹所１０５に小片１５、凹所１０６に小片１６をそれぞれ位置合わせして嵌め込んでおけばよい。この実施形態では、各小片１１〜１６の裏面に粘着剤が保持されているので、各凹所に嵌め込んだ小片をエンブレム１００が装備されている下地面又は各凹所１０１〜１０６の底面に貼着することとを行うだけで済む。
【００１６】
図４には、上記のようにして装飾したエンブレム１００の所定箇所を切断してその切断面を見た状態を示してある。図４によって類推することができるように、上記の貼着作業を行うと、エンブレム１００の各凹所１０１〜１０６に各別に嵌め込まれた小片１１〜１６によってエンブレム１００自体に視覚的装飾機能が付与されることになる。
【００１７】
図１に示したエンブレム装飾具Ａは、個々の小片１１〜１６が分割されて個別に離れているので、そのままでは店頭で販売することに不便があり、また、ユーザにとっても、どの小片をエンブレム１００のどの凹所に嵌め込めばよいかを判断しにくい。
【００１８】
そこで、図２のように、複数の上記小片１１〜１６をその裏面側の粘着剤を利用して剥離シート２０に仮貼着しておくことが有益であり、そのようにしておくと、店頭販売に際してユーザが小片１１〜１６の形状を認識しやすくなる。特に、図例のように、剥離シート２０に透明シートを用いた上で、その剥離シート２０に仮貼着しておく小片１１〜１６の配列パターンを、その使用対象となるエンブレム１００の複数箇所の凹所１０１〜１０６の配列と同一に形成しておくことが望まれる。このようにしておくと、剥離シート２０に複数の小片１１〜１６が仮貼着されている状態のまま、その剥離シート２０を装飾したいエンブレム１００の上に重ね合わせることによって、それぞれの小片１１〜１６のサイズや形状が、エンブレム１００のそれぞれの凹所１０１〜１０６のサイズや形状に一致するか否かを容易に見極めるという作業を行うだけで、剥離シート２０から小片１１〜１６を剥がし取る前に、剥離シート２０に仮貼着されている複数の小片１１〜１６がそのエンブレム１００の複数箇所の凹所１０１〜１０６に適正に嵌まり込むか否かを容易に判別することが可能になる。このことにより、上記のように剥離シート２０に透明シートを用いた上で、その剥離シート２０に仮貼着しておく小片１１〜１６の配列パターンを、その使用対象となるエンブレム１００の複数箇所の凹所１０１〜１０６の配列と同一に形成しておくことは、デザインが同じでサイズが異なるようなエンブレムに対しても、誤って違うサイズの小片を用いてしまうおそれがなくなるという利点が生じる。
【図面の簡単な説明】
【００１９】
【図１】本考案に係るエンブレム装飾具の斜視図である。
【図２】変形例によるエンブレム装飾具の正面図である。
【図３】図１又は図２のエンブレム装飾具の使用対象としてのエンブレムの斜視図である。
【図４】エンブレム装飾具の使用状態を断面図で表した説明図である。
【符号の説明】
【００２０】
１００  エンブレム
１０１，１０２，１０３，１０４，１０５，１０６  凹所
１１，１２，１３，１４，１５，１６  小片
【手続補正３】
【補正対象書類名】図面
【補正対象項目名】図１
【補正方法】変更
【補正の内容】
【図１】
0003138023.tif 000007
【手続補正４】
【補正対象書類名】図面
【補正対象項目名】図２
【補正方法】変更
【補正の内容】
【図２】
0003138023.tif 000008
【手続補正５】
【補正対象書類名】図面
【補正対象項目名】図３
【補正方法】変更
【補正の内容】
【図３】
0003138023.tif 000009